(57)【要約】【課題】原稿セットの有無と原稿搬送不良の検知を検知手段の個数を少なくしても良好に行える印刷装置を提案する。【解決手段】原稿３１を読み取り手段１に向かって搬送する搬送ローラ３４，３７と、これら搬送ローラを回転駆動する駆動モータ３６と、読み取り手段１に向かって移動する原稿３１を検知する検知手段３７とを有する印刷装置において、動作開始信号の入力により駆動モータ３６を駆動し、これら駆動モータの駆動開始から所定時間内に検知手段３７から検知信号の出力がないときに、駆動モータ３６の駆動を停止する。【選択図】      図１
2004167725.tif 000002
【特許請求の範囲】
【請求項１】
原稿を読み取り手段に向かって搬送する搬送ローラと、前記搬送ローラを回転駆動する駆動モータと、前記読み取り手段に向かって移動する原稿を検知する検知手段とを有する印刷装置において、
動作開始信号の入力により前記駆動モータを駆動し、前記駆動モータの駆動開始から所定時間内に前記検知手段から検知信号の出力がないときに、前記駆動モータの駆動を停止する制御手段を有することを特徴とする印刷装置。
【請求項２】
請求項１記載の印刷装置において、
前記駆動モータの停止後に、前記原稿が未セットであることを表示する手段を有することを特徴とする印刷装置。
【請求項３】
請求項１記載の印刷装置において、
前記駆動モータの停止後に、前記原稿が搬送途中で停止したことを表示する手段を有することを特徴とする印刷装置。
【請求項４】
請求項１、２または３記載の印刷装置において、
前記原稿の画像に対応する製版マスタを作成する製版手段と、前記製版手段を動作させる製版スイッチとを有し、前記動作開始信号は、前記製版スイッチの操作によって出力されることを特徴とする印刷装置。
【発明の詳細な説明】
【０００１】
【発明の属する技術分野】
本発明は、原稿の読み取り手段を備えた印刷装置に関する。
【０００２】
【従来の技術】
原稿を移動させて画像を読み取る機能を備えた印刷装置は、原稿を搬送させる際に最低でも２つの検知手段が必要と考えられていた。その１つは原稿が装置にセットされているか否かを判別する原稿検知手段で、もう１つは原稿搬送中に搬送ミス発生の有無を検知する搬送状態検知手段である。これら２つのセンサは制御手段に接続されていて、制御手段は、原稿がセットされているかどうかを原稿検知手段がオンしているか否かで判別し、オンしていなければ原稿が未セット状態である事をユーザーに警告し、製版動作へは移行しないように制御し、原稿検知手段がオンしていれば、原稿はセットされているものとみなし、原稿を読み取り手段へ搬送して製版動作へ移行するように制御している。制御手段は、製版動作に移行すると、今度は原稿が途中で詰まっていないか等の搬送ミスを、搬送状態検知手段を利用して判別する。この判別方法には、例えば原稿搬送がスタートして一定時間以内に搬送状態検知手段がオンしなかった場合は搬送ミスが発生しているとみなし、そこで原稿の搬送を停止して搬送ミス発生を通知させる等の制御を行う。
【０００３】
【発明が解決しようとする課題】
出来るだけ装置を安価に抑えるためには、部品点数が少ないにこしたことはなく、原稿の読み取り手段を備えた印刷装置で原稿を搬送させる場合においても、センサの数は少ない方が好ましい。しかし、従来構成では、原稿の有無の判別と搬送ミスの判別を検知手段からの検知信号の有無で判断しているので、複数の検知手段が必要であった。
本発明は、原稿セットの有無と原稿搬送不良の検知を検知手段の個数を少なくしても良好に行える印刷装置を提案することを目的とする。
【０００４】
【課題を解決するための手段】
上記目的を達成するため、請求項１では、原稿を読み取り手段に向かって搬送する搬送ローラと、搬送ローラを回転駆動する駆動モータと、読み取り手段に向かって移動する原稿を検知する検知手段と、動作開始信号の入力により駆動モータを駆動し、駆動モータの駆動開始から所定時間内に検知手段から検知信号の出力がないときに、駆動モータの駆動を停止する制御手段とを有する印刷装置を提案している。
請求項２では、請求項１記載の印刷装置において、駆動モータの停止後に、原稿が未セットであることを表示する手段を有することを特徴としている。請求項３では、請求項１記載の印刷装置において、駆動モータの停止後に、原稿が搬送途中で停止したことを表示する手段を有することを特徴としている。請求項４では、請求項１、２または３記載の印刷装置において、原稿の画像に対応する製版マスタを作成する製版手段と、製版手段を動作させる製版スイッチとを有し、動作開始信号が製版スイッチの操作によって出力されることを特徴としている。
【０００５】
【発明の実施の形態】
図面を用いて本発明の一実施例である孔版印刷装置について説明する。図１に示す孔版印刷装置は、読み取り手段１、給紙部２、製版手段３、印刷部４、排紙部５、排版部６を備えている。
【０００６】
読み取り手段１は、孔版印刷装置の装置本体１０の上部に配設されていて、原稿３１が載置される原稿載置台３０、原稿３１を読み取り手段３２に向かって搬送する搬送ローラ対３３、搬送ローラ３３対の一方側を構成する呼び出しローラ３４と、搬送ローラであるプラテンローラ３９とを原稿３１が読み取り手段３２に向かって移動する方向に回転駆動する駆動モータである原稿搬送モータ３６、読み取り手段３２に向かって移動する原稿３１を検知する検知手段としてのセンサ３７を具備している。搬送ローラ対３３はゴムローラである呼び出しローラ３４と、このローラに従動回転するローラ３５とで構成されている。呼び出しローラ３４は、装置本体１１に回転自在に支持されていて、ローラ３５は読み出し部１の上部に配設された開閉ユニット３８に回転自在に支持されている。読み取り手段３２は、図２に示すように、原稿３１の幅方向に延設されたラインセンサであって、搬送される原稿から画像情報を読み取るものである。センサ３７は、反射型の通過センサであり、開閉ユニット３８に設けられている。センサ３７は、画像読み取り手段３２よりも原稿搬送方向の上流側、好ましくは直前に配置されている。センサ３７は、その間に原稿３１が位置するとオン信号を出力するようになっている。センサ３７は、装置本体１０側に設けても良い。センサ３７としては反射型のものではなく、発光／受光分離型の透過型センサを用いても良い。この場合、一方を装置本体１０に他方を開閉ユニット３８に互いに対向するようにそれぞれ設ければ良い。
【０００７】
搬送ローラ対３３とセンサ３７の間にはプラテンローラ３９が、開閉ユニット３８に回転自在に支持されて配置されている。このプラテンローラ３９と呼び出しローラ３４とは、図示しない駆動伝達系で連結されていて原稿搬送モータ３６によって原稿３１を読み取り手段３２に向かって搬送する方向にそれぞれ回転駆動される。本形態において、原稿搬送モータ３６にはステッピングモータを用いている。開閉ユニット３８を中心にして、原稿載置台３０と反対側に位置する読み取り部１の上面には、原稿回収部４１が形成されている。プラテンローラ３９と呼び出しローラ３４とは個別な原稿搬送モータで回転駆動するようにしても良い。
【０００８】
給紙部２は、装置本体１０の右側面に装着されたトレイであって、用紙１１が積載されている。用紙１１の上方には、給紙手段となる給紙ローラ群１２が配設されていて、図示しない駆動モータによって回転駆動されることで、用紙１１を印刷部４に向かって給紙するように構成されている。
【０００９】
製版手段３は、製版画像データに基づき未製版マスタをサーマルヘッドで加熱穿孔製版し、原稿サイズに応じて所定長さに製版されたマスタを切断して製版された一版分のマスタ１３（以下、「製版マスタ１３」と記す）を作成する周知のものである。廃版部５は、印刷を終了した製版マスタ１３を版胴１４の外周面から剥がし、その内部に圧縮収納するものである。
【００１０】
印刷部４は、その外周面に製版マスタ１３を巻装して回転する版胴１４、版胴内部にインキを供給するインキ供給手段１５、給紙された用紙１１を版胴１４の外周面に向かって押圧する押圧部材としてのプレスローラ１６等から主に構成されており、版胴１４とプレスローラ１６との間に形成される転写部１７に搬送される用紙１１を、版胴１４とプレスローラ１６で挟持することで用紙１１に製版マスタ１３に形成された製版画像に対応するインキ画像を印刷する。転写部１７への用紙侵入側となる転写部１７の右方には、レジストローラ対１８が配置されている。レジストローラ対１８は、製版マスタ１３の製版画像先端と用紙の画像形成領域の先端とが一致するタイミングで用紙１１を送り出すように図示しない駆動モータによって駆動される。
【００１１】
印刷部４の左方には排紙部６が配設されている。排紙部６は、版胴１４の外周面に近接配置された剥離爪１９、一方が駆動側を成すローラ対に巻きかけられた搬送ベルト２０、搬送ベルト２０に吸着力を与える吸引ファン２１、搬送ベルト２１で搬送された用紙１１を受ける排紙トレイ２２とを備えている。
【００１２】
このような構成の孔版印刷装置によると、製版手段３で製版された製版マスタ１３が外周面に巻装された版胴１４は、図示しない駆動モータによって回転する。用紙１１が給紙されると、転写部１７においてプレスローラ１６から押圧力を受けて版胴１４の外周面に押圧されて製版画像に対応するインキ画像が印刷される。転写部１７を通過した用紙１１は、搬送ベルト２０に吸着されて排紙トレイ２２に向かって搬送されて、このトレイ上に順次排紙される。
【００１３】
装置本体１０には、制御手段５０が設けられている。制御手段５０は、周知のコンピュータでその主要部が構成されていて、動作開始信号の入力により原稿搬送モータ３６を駆動し、各原稿搬送モータの駆動開始から所定時間内にセンサ３７から検知信号の出力がないときに、原稿搬送モータ３６の駆動を停止する機能を備えている。このような機能を果たすため、制御手段５０には、図３に示すように時間計測用のタイマー５１と原稿搬送モータ３６、製版手段３を動作させるとともに動作開始信号を出力する製版スイッチとしての製版キー５２が接続されている。この製版キー５２はオペレータなどによって押下されると、動作開始信号を出力するように構成されている。制御手段５０は、原稿搬送モータ３６の停止後に原稿３１が未セットであることを表示する手段と、原稿搬送モータ３６の停止後に原稿３１が搬送途中で停止したことを表示する手段として機能する表示装置５３が接続されている。制御手段５０には、原稿搬送モータ３６のオン後の経過時間となる所定時間Ｔ１と、原稿３１の所定の搬送距離とが記憶されている。
【００１４】
このような構成の制御手段５０による制御動作を図４に示すフローチャートを用いて説明する。
ステップＳ１において、製版キー５２が押下されたか否かが判断され、押下されると動作開始信号が出力され、ステップＳ２において原稿搬送モータ３６がオンし、タイマー５１の所定時間Ｔ１がセットされ、ステップＳ３に進む。
【００１５】
ステップＳ３ではセンサ３７がオンしたか否かが判断され、オンでなければステップＳ４において所定時間Ｔ１を経過したか否かが判断される。所定時間Ｔ１を経過すると、原稿３１が原稿載置台３０にセットされていない未セット状態であるか、原稿３１が搬送途中でジャムしたものと判断し、ステップＳ５において原稿搬送モータ３６をオフする。そして、ステップＳ６、Ｓ７へと進んで表示装置５３に、原稿未セット警告表示と原稿搬送ミス警告表示を行い、この制御を終了する。本形態において、原稿未セット警告表示と原稿搬送ミス警告表示は、「原稿搬送ミス」と表示されるが、これ以外の表示内容であってもよい。
【００１６】
ステップＳ３においてセンサ３７がオンであると、ステップＳ８に進んで原稿搬送継続したままステップＳ９に進んで設定分の距離を原稿３１が搬送したか否かが判断される。この移動距離判定は、原稿搬送モータ３６のステップ数をカウントし、予め設定した設定分相当のステップ数と比較して判定しても良いし、センサ３７のオン時間を計測し、予め設定した設定距離相当の基準時間と比較することで判断してもよい。そして原稿３１が設定分の距離を搬送されると、ステップＳ１０においてセンサ３７のオフ状態が判断され、オフの場合には原稿３１が開閉ユニット３８を通過したものとして、ステップＳ１１で原稿搬送モータ３６をオフしてこの制御が終了する。センサ３７がオフしていない場合には、原稿３１が開閉ユニット３８内で詰まっているものと判断し、ステップＳ１２において原稿搬送モータ３６をオフし、ステップＳ１３において表示装置５３に原稿搬送ミス警告表示を行い、この制御を終了する。
【００１７】
表示装置５３に表示される警告の解除は、開閉ユニット３８を開放、あるいは解除専用のリセットキーを設けて、このキーを押下された場合に、センサ３７からの信号がオフとなるようにする。このようにすることにより、原稿搬送ミスだった場合は原稿３１が除去されることで解除され、原稿３１が未セットの場合は無条件で解除されるのでユーザーには特に違和感もなく、特別な作業も必要としない。
【００１８】
このように構成することで、センサ３７が１つでも原稿３１の未セットや搬送途中のジャムを検知することができ、装置の部品点数を低減できてコスト低減を図れる。
【００１９】
【発明の効果】
本発明によれば、駆動モータのオン後に検知手段が所定時間内にオンしない場合には駆動モータを停止するので、１つの検知手段でも原稿の未セットや搬送不良を検知することができ、装置の部品点数を低減できてコスト低減を図れる。
【図面の簡単な説明】
【図１】本発明の一実施の形態を示す孔版印刷装置の概略全体構成図である。
【図２】開閉ユニット近傍の部分拡大平面図である。
【図３】本発明の制御手段とこれにつながる要素の構成を示すブロック図である。
【図４】制御手段で行われる制御の一形態を示すブロック図である。
【符号の説明】
１    読み取り手段
３    製版手段
１３    製版マスタ
３１    原稿
３４，３９    搬送ローラ
３６    駆動モータ
３７    検知手段
５０    印刷装置
５２    製版スイッチ
５３    表示手段
【図１】
2004167725.tif 000003
【図２】
2004167725.tif 000004
【図３】
2004167725.tif 000005
【図４】
2004167725.tif 000006